(57)【要約】【課題】動作を中止させるキー操作の容易な通信端末装置を提供する。【解決手段】スタートキー８ａを操作し（ＳＴ１）、原稿読み取りを開始し（ＳＴ２）、まだ読み取り中にファクス中止キー８ｃか、ストップキー８ｂのいずれかが操作されると（ＳＴ４、ＳＴ５）、原稿読み取りを中止する（ＳＴ６）。読み取りが完了すると通信を開始し（ＳＴ３、ＳＴ７）、その後、ファクス中止キー８ｃが操作されると（ＳＴ９）、表示部７に予約確認画面表示を行い、通信停止に至る（ＳＴ１２）。ファクス中止キー８ｃが操作されずに、ストップキー８ｂが操作されると（ＳＴ１０）、「ファクス中止キーを押下して下さい。」の文字メッセージを表示部７に表示する（ＳＴ１１）。【選択図】      図２
2004193709.tif 000002
【特許請求の範囲】
【請求項１】
原稿画像読取部と、読み取った画像を記憶する画像記憶部と、読み取り画像を送信する画像送信部と、動作を停止するためのストップキーと、送信動作を中止する送信中止キーと、画像読み取り中に前記ストップキーもしくは送信中止キーが操作されると画像読み取りを中止し、送信動作中に送信中止キーが操作されると送信を中止する制御部とをを備えたことを特徴とする通信端末装置。
【請求項２】
前記送信動作中にストップキーが操作されると「送信中止キーを押して下さい。」のメッセージを出力する報知部を備えたことを特徴とする請求項１記載の通信端末装置。
【発明の詳細な説明】
【０００１】
【発明の属する技術分野】
この発明は、ファクシミリ装置、複写機能・ファクス機能などの多機能を有する複合機などの通信端末装置に関する。
【０００２】
【従来の技術】
一般に、ファクシミリ装置では、原稿を原稿読取部で読み取り、画像記憶部に記憶し、この読取画像を画像送信部より、ファクス送信している。この種のファクシミリ装置において、ファクス送信開始後に中止させるオペレーションで原稿読み取り中のときは、ストップキーの操作で読み取りを中止し、また通信中のときはファクス中止キーで通信予約画面に入ってから消去するようになっている。なお、従来、原稿読み取り中に、オペレータがキャンセルキーを押下すると、読取制御部に読み取り中止指示を出し、読み取りを中止する技術が開示されている（例えば、特許文献１参照）。
【０００３】
【特許文献１】
特開平４−３７３３５４号公報
【０００４】
【発明が解決しようとする課題】
上記した従来装置では、動作を中止するのに、読み取り中はストップキー、通信中はファクス中止キーであり、中止させるためのキーが異なっており、オペレータは中止する処理に応じ、対応して操作するキーを覚えておかねばならないという問題があった。
【０００５】
この発明は上記問題点に着目してなされたものであって、動作を中止させるキー操作の容易な通信端末装置を提供することを目的としている。
【０００６】
【課題を解決するための手段】
この発明の通信端末装置は、原稿画像読取部と、読み取った画像を記憶する画像記憶部と、読み取り画像を送信する画像送信部と、動作を停止するためのストップキーと、送信動作を中止する送信中止（ファクス中止）キーと、画像読み取り中に前記ストップキーもしくは送信中止キーが操作されると画像読み取りを中止し、送信動作中に送信中止キーが操作されると送信を中止する制御部とを備えている。
【０００７】
この通信端末装置では、画像読み取り中に、ストップキーが操作されても、送信中止キーが操作されても、画像読み取り動作が中止される。送信動作中は、送信中止キーが操作されると、送信動作が中止される。
【０００８】
この発明の通信端末装置では、前記送信動作中にストップキーが操作されると「送信中止キーを押して下さい。」のメッセージを出力する報知部を備えると良い。
【０００９】
送信動作中に、送信中止するために、ストップキーを操作すると「送信中止キーを押して下さい。」のメッセージが報知されるので、オペレータは直ちに送信中止キーを操作して、ファクス通信を中止することができる。
【００１０】
【発明の実施の形態】
以下、実施の形態により、この発明を更に詳細に説明する。図１に、この発明の実施形態通信端末装置全体の概略構成を示すブロック図を示す。
【００１１】
この実施形態通信装置は、ファクシミリ機能とコピー機能とを備えたいわゆるカラー複合機として構成したもので、ＮＣＵ（網制御回路：Ｎｅｔｗｏｒｋ  Ｃｏｎｔｒｏｌ  Ｕｎｉｔ）１と、ＭＯＤＥＭ２と、画像メモリ３と、ＲＡＭ４と、ＲＯＭ５と、主制御部６と、表示部７と、操作部８と、画像読取部９と、画像記録部１０と、ＣＯＤＥＣ（符号化・復号器：Ｃｏｄｅｒ  ａｎｄ  Ｄｅｃｏｄｅｒ  ）１１と、ＬＡＮＩ／Ｆ１２と、バス１３とを備える。
【００１２】
主制御部（ＣＰＵ）６は、この装置を構成する各部を制御する機能を有する。ＮＣＵ１は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ２は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１３】
画像メモリ３は、受信画像データや画像読取部９で読み取った画像データを一時的に記憶する。ＲＡＭ４は、データ等を一時的に記憶する。ＲＯＭ５は、この装置を制御するためのプログラムを記憶する。表示部（ＬＣＤ）７は、アイコン、キーボタンの表示や、データの送受信に必要なメッセージ内容等を表示する。また、表示部７は、ＦＡＸ通信中にストップキーが操作されると「ファクス中止キーを押して下さい。」の文字メッセージを表示できる。また、表示部７は予約確認画面も表示する。操作部８はスタートキー８ａ、ストップキー８ｃ、ファクス中止キー８ｃの他、ワンタッチキー、登録キー、ＦＡＸモード・コピーモード・スキャナモード等の複数の動作モードについてのモード切り替えを行うための動作モード切替キー、テンキー、その他のキーを有する。
【００１４】
画像読取部９は、ＦＡＸ送信するときにあるいはコピーするときに、原稿の画像データを光学的に走査して読み取る。この画像読取部９は、カラー画像の読み取りも可能である。画像記録部１０は、電子写真方式のプリンタよりなり、受信画像データやコピー動作において画像読取部９で読み取った原稿の画像データを記録紙上に記録する。
【００１５】
ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣからデータ転送の要求を受けると、画像データをＬＡＮＩ／Ｆ１２、ＬＡＮ１５を介して、外部ＰＣに転送する。
【００１６】
次に、この実施形態複合機において、原稿読み取り、ファクス通信、及びその中止を行う場合の処理動作を図２に示すフロー図を参照して説明する。この処理ルーチンに入ると、ステップＳＴ１において、スタートキーが操作されたか否か判定する。操作部８のスタートキー８ａが操作されると、ステップＳＴ２へ移行する。
【００１７】
ステップＳＴ２においては、画像読取部９で原稿読み取りを開始する。次に、ステップＳＴ３へ移行する。ステップＳＴ３においては、原稿読み取りが完了したか否かを判定する。読み取り完了でない場合は、ステップＳＴ４へ移行する。一方、読み取り完了の場合は、ステップＳＴ７へ移行する。
【００１８】
ステップＳＴ４においては、ファクス中止キー８ｃが操作されたか否かを判定する。ファクス中止キー８ｃが操作されない場合は、次にステップＳＴ５へ移行する。一方、ファクス中止キー８ｃが操作されると、ステップＳＴ６へ移行し、原稿読み取りを中止する。ステップＳＴ５においては、ストップキー８ｂが操作されたか否かを判定する。ストップキー８ｂが操作されない場合は、ステップＳＴ３へ戻り、原稿読み取りを継続する。一方、ストップキー８ｂが操作されると、ファクス中止キー８ｃが操作された場合と同様、ステップＳＴ６へ移行し、原稿読み取りを中止する。このように、原稿読み取り中にストップキー８ｂ、ファクス中止キー８ｃのいずれが操作された場合に、原稿読み取りを中止する。
【００１９】
ステップＳＴ７においては、すでに原稿読み取りを終了しているので、ファクス通信を開始する。次に、ステップＳＴ８へ移行する。ステップＳＴ８においては、通信完了か否か判定する。通信完了でない場合は、ステップＳＴ９へ移行する。一方、通信完了の場合は、ステップＳＴ１３へ移行する。ステップＳＴ１３においては、文字通り通信終了となる。
【００２０】
ステップＳＴ９においては、ファクス中止キー８ｃが操作されたか否か判定する。ファクス中止キーが操作された場合は、ステップＳＴ１２へ移行する。一方、ファクス中止キー８ｃが操作されていない場合は、ステップＳＴ１０へ移行する。ステップＳＴ１２においては、表示部７に図３に例示する通信予約確認画面を表示する。ここでオペレータが通信予約の確認ボタンを操作すると、読み取り画像データは通信予約する。通信予約しない場合は、ここで消去ボタンを押下し、通信を中止する。
【００２１】
ステップＳＴ１０においては、ストップキー８ｂが操作されたか否かを判定する。ストップキー８ｂが操作された場合は、ステップＳＴ１１へ移行する。一方、ストップキー８ｂが操作されない場合は、ステップＳＴ８へ戻り、ファクス通信を継続する。ステップＳＴ１１においては、表示部７の画面に「ファクス中止キーを押して下さい。」の文字メッセージを表示して、ステップＳＴ８へ戻り、やはりファクス通信を継続する。オペレータが文字メッセージに応答して、ファクス中止キー８ｃを操作すると、ステップＳＴ９の判定がＹＥＳとなり、ステップＳＴ１２へ移行する。ステップＳＴ１２では、上記したように予約確認画面を表示する。
【００２２】
なお、上記文字メッセージは、表示に代えて音声で出力し、あるいは表示と音声の両方で出力しても良い。
【００２３】
【発明の効果】
この発明によれば、原稿画像読取部と、読み取った画像を記憶する画像記憶部と、読み取り画像を送信する画像送信部と、動作を停止するためのストップキーと、送信動作を中止する送信中止キーと、画像読み取り中に前記ストップキーもしくは送信中止キーが操作されると画像読み取りを中止し、送信動作中に送信中止キーが操作されると送信を中止する制御部とをを備えているので、原稿読み取り中にストップキー、送信中止キーのいずれを操作しても読み取りを中止できるので、キー操作に迷いを生じることはない。
【００２４】
また、送信中にストップキーが操作された場合に「送信中止キーを押して下さい。」のメッセージを出力することにより、やはり操作に迷うことなく、送信中止キーを操作することができ、確実に送信を中止できる。
【図面の簡単な説明】
【図１】この発明の通信端末装置の一実施形態である複合機の全体構成を示すブロック図である。
【図２】同実施形態複合機の原稿読み取り、ファクス通信及びその中止の処理を説明するためのフロー図である。
【図３】同実施形態複合機における予約確認画面例を示す図である。
【符号の説明】
１        ＮＣＵ
２        ＭＯＤＥＭ
３        画像メモリ
４        ＲＡＭ
５        ＲＯＭ
６        主制御部
７        表示部
８        操作部
８ａ      スタートキー
８ｂ      ストップキー
８ｃ      ファクス中止キー
９        画像読取部
１０      画像記録部
１１      ＣＯＤＥＣ
１２      ＬＡＮＩ／Ｆ
１３      バス
１４      電話回線
１５      ＬＡＮ
【図１】
2004193709.tif 000003
【図２】
2004193709.tif 000004
【図３】
2004193709.tif 000005